(57)【要約】【課題】カメラにより撮像されるというユーザーの不安を解消できる化粧台用表示装置及び化粧台を提供すること。【解決手段】化粧台用表示装置１は、カメラ５と、カメラ５による撮像結果に基づいた撮像情報を表示する表示部３２と、被写体としてのユーザーがカメラ５の撮像素子に写ることを物理的に回避する禁止状態と、被写体としてのユーザーがカメラ５の撮像素子に写ることを許容する許容状態と、をユーザーの操作に応じて切り替え可能な切替部６と、を備える。切替部６によりカメラ５が禁止状態に切り替えられた場合には、表示部３２及びカメラ５の少なくとも何れかを第１モードに設定し、切替部６によりカメラ５が許容状態に切り替られた場合には、表示部３２及びカメラ５の少なくとも何れかを、第１モードよりも消費電力が大きい第２モードに設定するモード設定部７１と、を備える。【選択図】図３Ｂ
2020154025.tif 000002
【特許請求の範囲】
【請求項１】
カメラと、
前記カメラによる撮像結果に基づいた撮像情報を表示する表示部と、
被写体としてのユーザーが前記カメラの撮像素子に写ることを物理的に回避する禁止状態と、被写体としてのユーザーが前記カメラの撮像素子に写ることを許容する許容状態と、をユーザーの操作に応じて切り替え可能な切替部と、を備える化粧台用表示装置。
【請求項２】
前記切替部により前記カメラが禁止状態に切り替えられた場合には、前記表示部及び前記カメラの少なくとも何れかを第１モードに設定し、前記切替部により前記カメラが許容状態に切り替られた場合には、前記表示部及び前記カメラの少なくとも何れかを、前記第１モードよりも消費電力が大きい第２モードに設定するモード設定部と、を備える請求項１に記載の化粧台用表示装置。
【請求項３】
前記切替部は、前記カメラを筐体に収納することで前記禁止状態を実現し、前記カメラを前記筐体から露出させて開放することによって前記許容状態を実現する請求項１又は２に記載の化粧台用表示装置。
【請求項４】
前記切替部は、前記カメラの前面を覆うことによって前記禁止状態を実現し、前記カメラの前面を露出させることによって前記許容状態を実現する請求項１又は２に記載の化粧台用表示装置。
【請求項５】
前記切替部は、被写体としてのユーザーが写り得ない向きに前記カメラを回転させることによって前記禁止状態を実現し、被写体としてのユーザーが写り得る向きに前記カメラを回転させることによって前記許容状態を実現する請求項１又は２に記載の化粧台用表示装置。
【請求項６】
ミラー部を備え、
前記ミラー部及び前記表示部は、ディスプレイモニタ機能付ミラーの構成の少なくとも一部であり、
前記表示部は、前記ミラー部の少なくとも一部の領域に前記撮像情報を表示する請求項１〜５のいずれかに記載の化粧台用表示装置。
【請求項７】
前記切替部における前記カメラの前記禁止状態と前記許容状態との切り替えを入力操作可能な入力部を有し、
前記入力部は、ユーザーが操作可能な位置に配置される請求項１〜６のいずれかに記載の化粧台用表示装置。
【請求項８】
請求項１〜７のいずれかに記載の化粧台用表示装置を備える化粧台。
【発明の詳細な説明】
【技術分野】
【０００１】
本発明は、化粧台用表示装置及び化粧台に関する。
【背景技術】
【０００２】
従来、ミラーと、ミラーの脇に配置されるカメラと、ミラーの脇に配置される表示部と、を備える化粧台が知られている（例えば、特許文献１参照）。
【先行技術文献】
【特許文献】
【０００３】
【特許文献１】特開２００９−１２５１１４号公報
【発明の概要】
【発明が解決しようとする課題】
【０００４】
化粧台において、ミラーの脇にカメラが配置される場合には、カメラが電気的にＯＦＦになっていても、ユーザーは、「カメラにより撮影されているかもしれない」という不安を覚えることがある。
【０００５】
本発明は、カメラにより撮像されるというユーザーの不安を解消できる化粧台用表示装置及び化粧台を提供することを目的とする。
【課題を解決するための手段】
【０００６】
本発明は、カメラ（例えば、後述のカメラ５、５Ａ）と、前記カメラによる撮像結果に基づいた撮像情報を表示する表示部（例えば、後述の表示部３２）と、被写体としてのユーザーが前記カメラの撮像素子に写ることを物理的に回避する禁止状態と、被写体としてのユーザーが前記カメラの撮像素子に写ることを許容する許容状態と、をユーザーの操作に応じて切り替え可能な切替部（例えば、後述の切替部６、６Ａ）と、を備える化粧台用表示装置（例えば、後述の洗面化粧台１、１Ａ）に関する。
【図面の簡単な説明】
【０００７】
【図１】本発明の第１実施形態の洗面化粧台を示す正面図である。
【図２】第１実施形態の洗面化粧台を示す側面図である。
【図３Ａ】第１実施形態のカメラが収納位置に位置した場合を示す斜視図である。
【図３Ｂ】第１実施形態のカメラが上部位置に位置した場合を示す斜視図である。
【図４】第１実施形態の洗面化粧台の機能ブロック図である。
【図５Ａ】第２実施形態のスライド蓋部が閉位置に位置した場合を示す斜視図である。
【図５Ｂ】第２実施形態のスライド蓋部が開位置に位置した場合を示す斜視図である。
【図６】第１実施形態の洗面化粧台の機能ブロック図である。
【発明を実施するための形態】
【０００８】
本実施形態においては、化粧台用表示装置を洗面化粧台１に適用した例について説明する。なお、化粧台用表示装置を、洗面設備を設けない化粧台に適用してもよい。
【０００９】
第１実施形態の洗面化粧台１は、図１及び図２に示すように、化粧台本体２と、洗面カウンター１１と、下部キャビネット１２と、を有する。洗面カウンター１１は、上部が開口して水を受ける凹部を有する洗面ボウル１１１と、洗面ボウル１１１が配置されるカウンター部１１２と、水栓１１３とを有する。下部キャビネット１２は、洗面カウンター１１の下部に配置される。下部キャビネット１２は、水栓１１３から延びる配管などを収納する。
【００１０】
化粧台本体２は、図２に示すように、洗面化粧台１の洗面ボウル１１１の奥側で洗面ボウル１１１よりも上方側に配置される。化粧台本体２は、図３Ａ〜図４に示すように、ディスプレイモニタ機能付ミラー３と、枠状筐体４（筐体）と、カメラ５と、切替部６と、制御部７（図４参照）と、を有する。
【００１１】
ディスプレイモニタ機能付ミラー３は、図１及び図２に示すように、正面視で四角形状に形成され、奥行方向に厚みを有して形成される。ディスプレイモニタ機能付ミラー３は、ミラー部３１と、表示部３２と、支持板３３と、を有する。
【００１２】
ミラー部３１は、図２に示すように、化粧台本体２の前面に配置され、化粧台本体２における前面を構成する。ミラー部３１は、背面３１ａ側において、支持板３３に支持される。ミラー部３１を支持する支持板３３は、枠状筐体４に取り付けられる。枠状筐体４は、住宅の壁面１００から立ち上がる壁材により、四角形状に枠組みされて形成され、住宅の壁面１００に固定されている。
【００１３】
表示部３２は、カメラ５による撮像結果に基づいた撮像情報を表示する。表示部３２は、図２に示すように、ミラー部３１の背面３１ａ側において、支持板３３の貫通開口３３１に配置される。表示部３２は、ミラー部３１の少なくとも一部の所定領域において、カメラ５の撮像情報を表示するように構成される。表示部３２が起動していない場合には、ミラー部３１は、鏡として機能する。
【００１４】
表示部３２は、カメラ５の撮像結果に基づく撮像情報として、例えば、ユーザーの顔の撮像画像をそのまま表示したり、数秒前のユーザーの顔の撮像画像を表示したり、ユーザーの顔の撮像画像に化粧などの加工を施したものを表示したりすることができる。この他、撮像されたユーザーを特定し、特定されたユーザーに応じて、インターネット回線を通じて送信された画像情報を撮像情報として表示してもよい。例えば、予め第１ユーザーおよび第２ユーザーが登録されており、第１ユーザーに対しては天気に関する情報を表示するようにしてもよいし、第２ユーザーにはニュースを表示するようにしてもよい。このような表示についても、撮像結果に基づきユーザーを識別して表示を決定している点において、カメラ５の撮像結果に基づく撮像情報の表示に含まれる。
【００１５】
カメラ５は、枠状筐体４の上壁４１の上下方向に貫通する貫通開口４１１において、枠状筐体４の上壁４１に取り付けられる。カメラ５の撮像レンズは、ミラー部３１の前方側を向いて配置される。カメラ５は、後述する切替部６により、被写体としてのユーザーがカメラ５の撮像素子に写ることを物理的に回避する禁止状態と、被写体としてのユーザーがカメラ５の撮像素子に写ることを許容する許容状態と、を切り替え可能に配置される。より具体的には、カメラ５は、後述する切替部６により、枠状筐体４の内部に収納されてカメラ５を物理的に遮蔽する遮蔽状態と、枠状筐体４の上壁４１から上部に突出してカメラ５を開放する開放状態と、を切り替え可能に配置される。カメラ５は、開放状態に切り替えられた場合に起動することで、ミラー部３１の前に立ったユーザーの顔などを撮像する。本実施形態においては、枠状筐体４の内部に収納されてカメラ５を物理的に遮蔽する遮蔽状態は、被写体としてのユーザーがカメラ５の撮像素子に写ることを物理的に回避する禁止状態であり、枠状筐体４の上壁４１から上部に突出してカメラ５を開放する開放状態は、被写体としてのユーザーがカメラ５の撮像素子に写ることを許容する許容状態である。
【００１６】
カメラ５及び表示部３２の起動（電源起動）及び停止（電源停止、スタンバイ）は、切替部６によりカメラ５が遮蔽状態又は開放状態に切り替えられる操作に連動する。つまり、切替部６によりカメラ５が遮蔽状態又は開放状態に切り替えられる１つの操作に連動して、カメラ５及び表示部３２の起動又は停止の動作が実行される。
【００１７】
切替部６は、図４に示すように、ユーザーの操作によりカメラ５を上下移動させることが可能な上下移動機構６１と、切替検知センサ６２と、を備える。上下移動機構６１は、ユーザーの操作により、カメラ５を上下移動させることで、カメラ５を枠状筐体４（筐体）に収納してカメラ５を物理的に遮蔽する収納位置（遮蔽状態、禁止状態）（図３Ａ参照）と、カメラ５を枠状筐体４から露出させて開放する上部位置（開放状態、許容状態）（図３Ｂ参照）と、を切り替え可能である。
【００１８】
具体的には、上下移動機構６１は、カメラ５を遮蔽する図３Ａに示す収納位置から、例えば、ユーザーの操作によりカメラ５の上面が下方に押されることで、係合が外れて、バネ部材（図示せず）の付勢力によりカメラ５が上方側へ移動されて、カメラ５を開放する図３Ｂに示す上部位置に移動される。上下移動機構６１は、カメラ５を開放する図３Ｂに示す上部位置から、例えば、ユーザーの操作によりカメラ５の上面が下方に押されることで、バネ部材（図示せず）の付勢力に抗してカメラ５が下方側へ移動されて、係合されることで、カメラ５を遮蔽する図３Ａに示す収納位置に移動される。
【００１９】
切替検知センサ６２は、カメラ５を遮蔽する収納位置に位置するか、カメラを開放する上部位置に位置するかを検知する。切替検知センサ６２により検知された収納位置検知信号又は上部位置検知信号は、制御部７に送信される。
【００２０】
制御部７は、表示部３２及びカメラ５の動作を制御する。制御部７には、切替検知センサ６２からの検知信号が入力される。制御部７は、図４に示すように、モード設定部７１と、表示制御部７２と、を有する。
【００２１】
モード設定部７１は、切替部６によりカメラ５が上部位置（開放状態）から収納位置（遮蔽状態）に切り替えられた場合には、表示部３２及びカメラ５の両方を第１モードに設定し、切替部６によりカメラ５が収納位置（遮蔽状態、禁止状態）から上部位置（開放状態、許容状態）に切り替られた場合には、表示部３２及びカメラ５の両方を第２モードに設定する。ここで、第１モードは、例えば、電力の消費が少ない省電力モード又は電力の消費がない電源停止モードである。第２モードは、第１モードよりも消費電力が大きいモードであって、例えば、表示部３２やカメラ５を起動する起動モードである。制御部７は、モード設定部７１により第２モード（例えば、起動モード）が設定されることで、カメラ５及び表示部３２を起動する。制御部７は、モード設定部７１により第１モード（例えば、省電力モード又は電源停止モード）が設定されることで、カメラ５及び表示部３２をスタンバイ状態又は電源ＯＦＦ状態となるように制御する。
【００２２】
表示制御部７２は、カメラ５による撮像結果に基づいた撮像情報を表示部３２に表示するように制御する。
【００２３】
次に、第１実施形態に係る洗面化粧台１の使用方法について説明する。洗面化粧台１に近づいたユーザーは、ミラー部３１を鏡として使用する場合には、表示部３２を起動せずに、ミラー部３１を使用する。この場合に、カメラ５は、物理的に遮蔽された収納位置に位置している。
【００２４】
ここで、カメラ５による撮像を開始する場合には、ユーザーは、カメラ５の上面を下方に押す。これにより、ユーザーは、切替部６により、カメラ５を、収納位置から上部位置に移動させる。カメラ５が上部位置に位置することで、切替検知センサ６２により検知された上部位置検知信号は、制御部７に送信される。
【００２５】
モード設定部７１は、制御部７に送信された上部位置検知信号により、カメラ５及び表示部３２を起動モードに設定する。制御部７は、モード設定部７１により起動モードが設定されることで、カメラ５及び表示部３２を起動する。これにより、カメラ５は、起動されることで、撮像を開始する。表示部３２は、カメラ５による撮像結果に基づいた撮像情報を表示する。
【００２６】
従来、化粧台のミラーの脇にカメラが配置される場合には、カメラが電気的にＯＦＦになっていても、ユーザーは、「カメラにより撮影されているかもしれない」という不安を覚えることがあった。これに対して、本発明においては、カメラ５が収納位置に位置する場合には、カメラ５は物理的に遮蔽される。そのため、カメラ５による撮像はできない。そして、カメラ５の位置を収納位置から上部位置に切り替えた場合に、カメラ５が起動されて、カメラ５による撮像が開始される。よって、ユーザーは、撮像されるという不安を解消できる。
【００２７】
次に、カメラ５による撮像を停止する場合には、ユーザーがカメラ５の上面を下方に押すことで、切替部６により、カメラ５を上方側へ移動させて収納位置に移動させる。これにより、カメラ５は、物理的に遮蔽された収納位置に移動される。カメラ５が収納位置に位置することで、切替検知センサ６２により検知された収納位置検知信号は、制御部７に送信される。モード設定部７１は、制御部７に送信された収納位置検知信号により、カメラ５及び表示部３２を省電力モード又は電源停止モードに設定する。制御部７は、モード設定部７１により省電力モード又は電源停止モードが設定されることで、カメラ５及び表示部３２をスタンバイ状態又は電源ＯＦＦとなるように制御する。
【００２８】
以上の構成を備える本実施形態の洗面化粧台１によれば、以下の効果が奏される。本実施形態の洗面化粧台１は、カメラ５と、カメラ５による撮像結果に基づいた撮像情報を表示する表示部３２と、カメラ５を物理的に遮蔽する遮蔽状態と、カメラ５を開放する開放状態と、をユーザーの操作に応じて切り替え可能な切替部６と、を備える。これにより、カメラ５を物理的に遮蔽することができるため、カメラ５により撮像されるというユーザーの不安を解消できる。
【００２９】
本実施形態においては、切替部６によりカメラ５が収納位置に切り替えられた場合には、表示部３２及びカメラ５の少なくとも何れかを第１モード（省電力モード又は電源停止モード）に設定し、切替部６によりカメラ５が上部位置に切り替られた場合には、表示部３２及びカメラ５の少なくとも何れかを第１モードよりも消費電力が大きい第２モード（起動モード）に設定するモード設定部７１と、を備える。これにより、切替部６の動作に連動して、省電力モード又は電源停止モード、或いは、起動モードに設定できるため、カメラ５が上部位置に位置するときのみ、表示部３２及びカメラ５の電源を起動できるため、省電力に寄与する。
【００３０】
本実施形態においては、切替部６は、カメラ５を枠状筐体４に収納して遮蔽する収納位置（遮蔽状態）と、カメラ５を枠状筐体４から露出させて開放する上部位置（開放状態）とを切り替え可能である。これにより、簡易な構成で、カメラ５を物理的に遮蔽することができる。
【００３１】
次に、第２実施形態について説明する。第２実施形態の説明において、第１実施形態と共通する構成については同一の符号を用いる。特に説明しない点に構成については、第１実施形態の構成と同様である。
【００３２】
第２実施形態の洗面化粧台１Ａ（化粧台用表示装置）においては、第１実施形態と比べて、切替部６Ａがカメラ５Ａの前面を開閉するスライド開閉機構６１Ａを有する点において、主に異なる。
【００３３】
第２実施形態の化粧台本体２Ａは、図５Ａ〜図６に示すように、ディスプレイモニタ機能付ミラー３と、枠状筐体４と、上部前面板４２と、カメラ５Ａと、切替部６Ａと、制御部７（図６参照）と、を有する。
【００３４】
カメラ５Ａは、ミラー部３１の上部の上部前面板４２の奥行方向に貫通する貫通開口４２１において、ミラー部３１の上部の上部前面板４２の背面側に配置される。カメラ５Ａの撮像レンズは、ミラー部３１の前方側を向いて配置される。カメラ５Ａは、切替部６Ａにより、カメラ５Ａの前面を覆って遮蔽する遮蔽状態と、カメラ５Ａの前面を露出させて開放する開放状態と、を切り替え可能に配置される。本実施形態においては、カメラ５Ａの前面を覆って遮蔽する遮蔽状態は、被写体としてのユーザーがカメラ５の撮像素子に写ることを物理的に回避する禁止状態であり、カメラ５Ａの前面を露出させて開放する開放状態は、被写体としてのユーザーがカメラ５の撮像素子に写ることを許容する許容状態である。
【００３５】
切替部６Ａは、スライド開閉機構６１Ａと、開閉検知センサ６２Ａと、を備える。スライド開閉機構６１Ａは、スライド蓋部６１１を有する。スライド蓋部６１１は、ユーザーの操作により、カメラ５Ａの前面側においてスライド移動させることで、カメラ５Ａの前面を覆って遮蔽する閉位置（遮蔽状態、禁止状態）と、カメラ５Ａの前面を露出させて開放する開位置（開放状態、許容状態）とを切り替え可能である。
【００３６】
具体的には、スライド開閉機構６１Ａは、スライド蓋部６１１がカメラ５Ａを遮蔽する図５Ａに示す閉位置から、ユーザーによりスライド蓋部６１１が開位置にスライド移動されることで、スライド蓋部６１１がカメラ５Ａを開放する図５Ｂに示す開位置に移動させることが可能である。スライド開閉機構６１Ａは、スライド蓋部６１１がカメラ５Ａを開放する図５Ｂに示す開位置から、ユーザーによりスライド蓋部６１１が閉位置にスライド移動されることで、スライド蓋部６１１がカメラ５Ａを遮蔽する図５Ａに示す閉位置に移動させることが可能である。
【００３７】
開閉検知センサ６２Ａは、スライド蓋部６１１が閉位置に位置するか、スライド蓋部６１１が開位置に位置するかを検知する。開閉検知センサ６２Ａにより検知された開位置検知信号又は閉位置検知信号は、制御部７に送信される。
【００３８】
モード設定部７１は、切替部６Ａによりスライド蓋部６１１が開位置から閉位置に切り替えられた場合には、表示部３２及びカメラ５Ａの両方を第１モード（省電力モード又は電源停止モード）に設定し、切替部６Ａによりスライド蓋部６１１が閉位置から開位置に切り替られた場合には、表示部３２及びカメラ５Ａの両方を第２モード（起動モード）に設定する。制御部７は、モード設定部７１により第２モード（起動モード）が設定されることで、カメラ５Ａ及び表示部３２を起動する。制御部７は、モード設定部７１により第１モード（省電力モード又は電源停止モード）が設定されることで、カメラ５Ａ及び表示部３２をスタンバイ状態又は電源ＯＦＦ状態となるように制御する。
【００３９】
第２実施形態において、ユーザーは、ミラー部３１を鏡として使用する場合には、表示部３２を起動せずに、ミラー部３１を使用する。この場合に、カメラ５Ａは、スライド蓋部６１１により物理的に遮蔽された閉位置に位置している。
【００４０】
カメラ５Ａによる撮像を開始する場合には、ユーザーがスライド蓋部６１１を開位置にスライド移動させることで、ユーザーは、切替部６Ａにより、カメラ５Ａを、遮蔽状態から開放状態に切り替える。スライド蓋部６１１が開位置に位置することで、開閉検知センサ６２Ａにより検知された開位置検知信号は、制御部７に送信される。
【００４１】
モード設定部７１は、制御部７に送信された開位置検知信号により、カメラ５Ａ及び表示部３２を起動モードに設定する。制御部７は、モード設定部７１により起動モードが設定されることで、カメラ５Ａ及び表示部３２を起動する。これにより、カメラ５Ａは、起動されることで、撮像を開始する。表示部３２は、カメラ５Ａによる撮像結果に基づいた撮像情報を表示する。
【００４２】
第２実施形態によれば、第１実施形態と同様の効果が奏される。つまり、カメラ５Ａを物理的に遮蔽することができるため、カメラ５Ａにより撮像されるというユーザーの不安を解消できる。スライド蓋部６１１を開閉することで、カメラ５Ａの開放状態と遮蔽状態とを切り替え可能であるため、簡易な構成で、カメラ５Ａを物理的に遮蔽することができる。
【００４３】
なお、本発明は上記実施形態に限定されるものではなく、本発明の目的を達成できる範囲での変形、改良等は本発明に含まれる。例えば、上記実施形態では、化粧台用表示装置を、洗面化粧台に適用した例について説明したが、これに限定されない。化粧台用表示装置を、洗面ボウルや水栓等の洗面設備が設けられていない化粧台に適用してもよい。
【００４４】
上記第１実施形態では、切替部６として、カメラ５を上下方向に移動させることが可能な上下移動機構６１を採用し、上記第２実施形態では、切替部６Ａとして、スライド蓋部６１１をスライド可能なスライド開閉機構６１Ａを採用したが、これに限定されない。例えば、切替部として、被写体としてのユーザーが写り得ない向きにカメラを回転させることによって禁止状態を実現し、被写体としてのユーザーが写り得る向きにカメラを回転させることによって許容状態を実現する機構を採用してもよい。
【００４５】
上記実施形態では、切替部６，６Ａを手動で操作するように構成したが、これに限定されない。例えば、切替部６，６Ａの切り替えを入力操作可能な入力スイッチ（入力部）によりユーザーが操作するように構成してもよい。入力スイッチ（入力部）は、例えば、切替部６，６Ａに電気的に接続され、切替部６，６Ａにおけるカメラ５の遮蔽状態と開放状態との切り替えを入力操作可能なスイッチである。この場合、例えば、入力スイッチを、洗面化粧台１，１Ａに対面するユーザーの手元に配置することで、切替部６，６Ａを操作することが容易となる。
【００４６】
上記実施形態では、洗面化粧台１，１Ａを、１つのミラー部３１を備えた１面鏡で構成したが、これに限定されず、３つのミラー部を備えた３面鏡で構成してもよい。
【００４７】
上記実施形態では、ディスプレイモニタ機能付ミラー３を、枠状筐体４に対して開閉不能に構成したが、これに限定されず、枠状筐体４に対して開閉可能に構成してもよい。この場合、洗面化粧台１，１Ａは、１つのミラーを備えた１面鏡でもよく、３つのミラーを備えた３面鏡でもよい。
【００４８】
上記実施形態では、モード設定部７１は、制御部７に送信された上部位置検知信号により、カメラ５及び表示部３２の両方を起動モードに設定し、制御部７に送信された収納位置検知信号により、カメラ５及び表示部３２の両方を省電力モード又は電源停止モードに設定したが、これに限定されない。モード設定部７１は、カメラ５及び表示部３２のいずれか一方を、起動モードに設定してもよく、或いは、省電力モード又は電源停止モードに設定してもよい。
【符号の説明】
【００４９】
１、１Ａ  洗面化粧台（化粧台用表示装置、化粧台）
２  ディスプレイモニタ機能付ミラー
４  枠状筐体（筐体）
５、５Ａ  カメラ
６、６Ａ  切替部
３１  ミラー部
３２  表示部
７１  モード設定部
【図１】
2020154025.tif 000003
【図２】
2020154025.tif 000004
【図３Ａ】
2020154025.tif 000005
【図３Ｂ】
2020154025.tif 000006
【図４】
2020154025.tif 000007
【図５Ａ】
2020154025.tif 000008
【図５Ｂ】
2020154025.tif 000009
【図６】
2020154025.tif 000010